(57)【要約】【課題】  ユーザの健康データを収集してユーザの健康状態を管理し、ユーザに適切な食事療法の情報を提供できるようにする。【解決手段】  携帯電話機１０は、体温や脈拍数、体脂肪率等の健康データを測定し、健康管理サーバ２０に送信する。健康管理サーバ２０は、受信した健康データを健康測定情報データベース２３に蓄積して管理し、蓄積する健康データにもとづいてユーザの健康状態を解析する。健康管理サーバ２０は、解析結果にもとづいて、献立情報データベース２４から献立データを抽出する。また、健康管理サーバ２０は、献立データに対応する食材データ及び販売店データを販売店情報データベース２５から抽出し、買い物情報を生成する。そして、健康管理サーバ２０は、健康状態の解析結果、献立表及び買い物情報を、通信ネットワーク１００を介して携帯電話機１０に配信する。【選択図】  図１
2006072665.tif 000002
【特許請求の範囲】
【請求項１】
ユーザの健康状態を管理するための健康管理システムであって、
ユーザ端末と、
ユーザの健康状態を管理する健康管理装置とを備え、
前記ユーザ端末は、
ユーザの健康状態を示す健康データを測定するデータ測定手段と、
前記データ測定手段が測定した健康データを、通信ネットワークを介して前記健康管理装置に送信する測定データ送信手段とを含み、
前記健康管理装置は、
前記ユーザ端末から受信した健康データを蓄積し管理するデータ管理手段と、
前記データ管理手段が蓄積する健康データにもとづいて、ユーザの健康状態を解析する健康状態解析手段と、
前記健康状態解析手段の解析結果にもとづいて、ユーザの健康状態に応じた食事療法の情報を含む配信データを生成する配信データ生成手段と、
前記配信データ生成手段が生成した配信データを、通信ネットワークを介して前記利用者端末に送信する配信データ送信手段とを含む
ことを特徴とする健康管理システム。
【請求項２】
データ管理手段は、
健康データをユーザに対応づけて蓄積するデータ蓄積手段と、
ユーザ端末から受信した健康データにもとづいて、前記データ蓄積手段が蓄積する健康データを更新するデータ更新手段とをを有する
請求項１記載の健康管理システム。
【請求項３】
健康状態解析手段は、健康データの値と当該健康データに対応する所定の標準値とにもとづいて、ユーザの健康状態を判定する請求項１又は請求項２記載の健康管理システム。
【請求項４】
健康状態解析手段は、
健康データの値が所定の標準値より大きいか否かを判断し、
健康データの値が所定の標準値より大きいと判断すると、ユーザの健康状態が正常でないと判定し、
健康データの値が所定の標準値より大きくないと判断すると、ユーザの健康状態でが正常であると判定する
請求項３記載の健康管理システム。
【請求項５】
健康管理装置は、健康データの値と健康状態とを対応づけた対応テーブルを予め記憶するテーブル記憶手段を含み、
健康状態解析手段は、データ管理手段が蓄積する健康データにもとづいて、前記テーブル記憶手段が記憶する対応テーブルから、前記健康データに対応する健康状態を抽出する
請求項１から請求項４のうちのいずれか１項に記載の健康管理システム。
【請求項６】
データ測定手段は、健康データとして、ユーザの体温、脈拍数、体脂肪率又は口臭データを測定する請求項１から請求項５のうちのいずれか１項に記載の健康管理システム。
【請求項７】
健康管理装置は、食事の献立を示す献立データを健康状態に対応づけて予め蓄積する献立データ蓄積手段を含み、
配信データ生成手段は、健康状態解析手段が解析した健康状態に対応する献立データを前記献立データ蓄積手段から抽出し、抽出した献立データを食事療法の情報として含む配信データを生成する
請求項１から請求項６のうちのいずれか１項に記載の健康管理システム。
【請求項８】
健康管理装置は、食材の属性を示す食材データと、前記食材を販売する販売店の属性を示す販売店データとを予め蓄積する属性情報蓄積手段を含み、
配信データ生成手段は、
献立データ蓄積手段から抽出した献立データで用いられる食材に対応する食材データと、前記献立データで用いられる食材を販売する販売店に対応する販売店データとを、前記属性情報蓄積手段から抽出し、
前記抽出した食材データと販売店データとを含む配信データを生成する
請求項７記載の健康管理システム。
【請求項９】
ユーザ端末は、
当該ユーザ端末の位置情報を求める位置算出手段と、
前記位置算出手段が求めた位置情報を、通信ネットワークを介して健康管理装置に送信する位置送信手段とを含み、
属性情報蓄積手段は、販売店の属性として当該販売店の位置情報を含む販売店データを予め蓄積し、
配信データ生成手段は、
前記ユーザ端末から受信した位置情報と前記属性情報蓄積手段が記憶する位置情報とにもとづいて、前記ユーザ端末と各販売店との距離を求め、
前記属性情報蓄積手段が蓄積する販売店データのうち、前記求めた距離が所定距離以内である販売店に対応する販売店データを抽出する
請求項８記載の健康管理システム。
【請求項１０】
食材を販売する宅配業者が運営する宅配業者端末を備え、
健康管理装置は、
配信データ生成手段が抽出した献立データで用いられる食材を発注する旨の発注情報を生成する発注情報生成手段と、
前記発注情報生成手段が生成した発注情報を、通信ネットワークを介して前記宅配業者端末に送信する発注情報送信手段とを含む
請求項７から請求項９のうちのいずれか１項に記載の健康管理システム。
【請求項１１】
ユーザの健康状態を管理する健康管理装置であって、
ユーザ端末から受信したユーザの健康状態を示す健康データを蓄積し管理するデータ管理手段と、
前記データ管理手段が蓄積する健康データにもとづいて、ユーザの健康状態を解析する健康状態解析手段と、
前記健康状態解析手段の解析結果にもとづいて、ユーザの健康状態に応じた食事療法の情報を含む配信データを生成する配信データ生成手段と、
前記配信データ生成手段が生成した配信データを、通信ネットワークを介して前記利用者端末に送信する配信データ送信手段とを備えた
ことを特徴とする健康管理装置。
【請求項１２】
ユーザの健康状態を示す健康データを測定するデータ測定手段と、
前記データ測定手段が測定した健康データを、通信ネットワークを介して、ユーザの健康状態を管理する健康管理装置に送信する測定データ送信手段とを備えた
ことを特徴とするユーザ端末。
【請求項１３】
ユーザの健康状態を管理するための健康管理方法であって、
ユーザ端末が、ユーザの健康状態を示す健康データを測定するステップと、
前記ユーザ端末が、前記測定した健康データを、通信ネットワークを介して、ユーザの健康状態を管理する健康管理装置に送信するステップと、
前記健康管理装置が、前記ユーザ端末から受信した健康データを蓄積し管理するステップと、
前記健康管理装置が、前記蓄積する健康データにもとづいて、ユーザの健康状態を解析するステップと、
前記健康管理装置が、前記解析結果にもとづいて、ユーザの健康状態に応じた食事療法の情報を含む配信データを生成するステップと、
前記健康管理装置が、前記生成した配信データを、通信ネットワークを介して前記利用者端末に送信するステップとを含む
ことを特徴とする健康管理方法。
【請求項１４】
健康管理装置が、食事の献立を示す献立データを健康状態に対応づけて予め蓄積するステップと、
前記健康管理装置が、解析した健康状態に対応する献立データを抽出し、抽出した献立データを食事療法の情報として含む配信データを生成するステップとを含む
請求項１３記載の健康管理方法。
【請求項１５】
健康管理装置が、食材の属性を示す食材データと、前記食材を販売する販売店の属性を示す販売店データとを予め蓄積するステップと、
前記健康管理装置が、抽出した献立データで用いられる食材に対応する食材データと、前記献立データで用いられる食材を販売する販売店に対応する販売店データとを抽出するステップと、
前記健康管理装置が、前記抽出した食材データと販売店データとを含む配信データを生成するステップとを含む
請求項１４記載の健康管理方法。
【請求項１６】
ユーザの健康状態を管理させるための健康管理プログラムであって、
コンピュータに、
ユーザの健康状態を示す健康データを、通信ネットワークを介してユーザ端末から受信する処理と、
前記ユーザ端末から受信した健康データを蓄積し管理する処理と、
前記蓄積した健康データにもとづいて、ユーザの健康状態を解析する処理と、
前記解析結果にもとづいて、ユーザの健康状態に応じた食事療法の情報を含む配信データを生成する処理と、
前記生成した配信データを、通信ネットワークを介して前記利用者端末に送信する処理とを
実行させるための健康管理プログラム。
【発明の詳細な説明】
【技術分野】
【０００１】
本発明は、携帯電話機を用いて体温や脈拍数、体脂肪率等のユーザの健康状態を示す健康データを取得し、ユーザの健康状態を管理するための健康管理システム、健康管理方法及び健康管理プログラムに関する。また、本発明は、健康管理システムが備える健康管理装置及びユーザ端末に関する。
【背景技術】
【０００２】
現在、携帯電話機上で様々なアプリケーションソフトウェアを実行させることができ、携帯電話機に搭載するアプリケーションソフトウェアの用途は多岐に渡っている。例えば、携帯電話機に健康管理用のアプリケーションソフトウェアを搭載して、ユーザの健康状態を管理させることが考えられる。
【０００３】
しかし、体温や脈拍数等の健康データをユーザが測定し、携帯電話機を用いて手動で入力操作をし管理していたのでは、ユーザの手間が大きい。また、測定した体温や脈拍数等のデータを携帯電話機内のメモリに保存して管理していたのでは、保存できるデータ容量が限られてしまう。そこで、健康管理用のアプリケーションソフトウェアを搭載した携帯端末から、体温や脈拍数等の健康データをサーバが収集して、ユーザの健康状態をサーバを用いて管理することが考えられる。
【０００４】
例えば、特許文献１には、健康状態監視プログラムを搭載した携帯電話機から、体温や心電図、心拍数等のデータをサーバが受信して、ユーザの健康状態を管理する常時健康管理システムが記載されている。また、特許文献２には、ユーザの携帯端末から、ユーザの心拍数や心電図、血圧、歩数、体温等の測定データをホストサーバが受信して、ユーザの健康状態を管理する健康管理用計測システムが記載されている。
【０００５】
【特許文献１】特開２００３−１５０７１８号公報（段落００２８−００３９、図１−３）
【特許文献２】特開２００３−５２６４８号公報（段落００３９−００４７、図１−５）
【発明の開示】
【発明が解決しようとする課題】
【０００６】
特許文献１や特許文献２に記載された健康管理システムによれば、ユーザの携帯端末から、ユーザの体温や心拍数等のデータをサーバが収集して健康状態を管理し、ユーザの健康状態に異常を検出した場合にユーザの携帯端末等に通知することができる。しかし、ユーザの健康状態に応じた適切な対処方法の情報を提供することはできない。例えば、ユーザの健康状態に応じた適切な食事メニューを含む食事療法の情報をユーザに提供することはできない。
【０００７】
そこで、本発明は、ユーザの健康データを収集してユーザの健康状態を管理し、ユーザに適切な食事療法の情報を提供できる健康管理システム、健康管理装置、ユーザ端末、健康管理方法及び健康管理プログラムを提供することを目的とする。
【課題を解決するための手段】
【０００８】
本発明による健康管理システムは、ユーザの健康状態を管理するための健康管理システムであって、ユーザ端末（例えば、携帯電話機１０によって実現される）と、ユーザの健康状態を管理する健康管理装置（例えば、健康管理サーバ２０によって実現される）とを備え、ユーザ端末は、ユーザの健康状態を示す健康データを測定するデータ測定手段（例えば、センサ部１１によって実現される）と、データ測定手段が測定した健康データを、通信ネットワークを介して健康管理装置に送信する測定データ送信手段（例えば、携帯電話機１０のＣＰＵ及び通信部１６によって実現される）とを含み、健康管理装置は、ユーザ端末から受信した健康データを蓄積し管理するデータ管理手段（例えば、健康管理サーバ２０のＣＰＵ及び健康測定情報データベース２３によって実現される）と、データ管理手段が蓄積する健康データにもとづいて、ユーザの健康状態を解析する健康状態解析手段（例えば、健康管理サーバ２０のＣＰＵによって実現される）と、健康状態解析手段の解析結果にもとづいて、ユーザの健康状態に応じた食事療法の情報（例えば、献立表）を含む配信データを生成する配信データ生成手段（例えば、健康管理サーバ２０のＣＰＵによって実現される）と、配信データ生成手段が生成した配信データを、通信ネットワークを介して利用者端末に送信する配信データ送信手段（例えば、健康管理サーバ２０のＣＰＵ及びネットワークインタフェース部によって実現される）とを含むことを特徴とする。なお、「健康データを管理する」とは、例えば、ユーザ端末から受信した健康データを蓄積したり、ユーザ端末からの要求に応じて蓄積する健康データを更新することをいう。
【０００９】
また、データ管理手段は、健康データをユーザに対応づけて蓄積するデータ蓄積手段（例えば、健康測定情報データベース２３によって実現される）と、ユーザ端末から受信した健康データにもとづいて、データ蓄積手段が蓄積する健康データを更新するデータ更新手段（例えば、健康管理サーバ２０のＣＰＵによって実現される）とを有するものであってもよい。
【００１０】
また、健康状態解析手段は、健康データの値と健康データに対応する所定の標準値とにもとづいて、ユーザの健康状態を判定するものであってもよい。そのような構成によれば、体温や脈拍数、体脂肪率等の測定値と標準値とを比較することによって、ユーザの健康状態が正常であるか否かを容易に判定することができる。
【００１１】
また、健康状態解析手段は、健康データの値が所定の標準値より大きいか否かを判断し、健康データの値が所定の標準値より大きいと判断すると、ユーザの健康状態が正常でないと判定し、健康データの値が所定の標準値より大きくないと判断すると、ユーザの健康状態でが正常であると判定するものであってもよい。
【００１２】
また、健康管理装置は、健康データの値と健康状態とを対応づけた対応テーブルを予め記憶するテーブル記憶手段（例えば、組合せ対応テーブルを予め記憶する健康管理サーバ２０の記憶装置によって実現される）を含み、健康状態解析手段は、データ管理手段が蓄積する健康データにもとづいて、テーブル記憶手段が記憶する対応テーブルから、健康データに対応する健康状態を抽出するものであってもよい。
【００１３】
また、データ測定手段は、健康データとして、ユーザの体温、脈拍数、体脂肪率又は口臭データを測定するものであってもよい。
【００１４】
また、健康管理装置は、食事の献立を示す献立データを健康状態に対応づけて予め蓄積する献立データ蓄積手段（例えば、献立情報データベース２４によって実現される）を含み、配信データ生成手段は、健康状態解析手段が解析した健康状態に対応する献立データを献立データ蓄積手段から抽出し、抽出した献立データを食事療法の情報として含む配信データを生成するものであってもよい。そのような構成によれば、ユーザの健康状態に応じた食事の献立表を食事療法の情報としてユーザに提供することができる。また、提供した食事療法の情報を用いて、ユーザの健康維持やダイエットを効果的且つ効率的に行うことができる。
【００１５】
また、健康管理装置は、食材の属性を示す食材データと、食材を販売する販売店の属性を示す販売店データとを予め蓄積する属性情報蓄積手段（例えば、販売店情報データベース２５によって実現される）を含み、配信データ生成手段は、献立データ蓄積手段から抽出した献立データで用いられる食材に対応する食材データと、献立データで用いられる食材を販売する販売店に対応する販売店データとを、属性情報蓄積手段から抽出し、抽出した食材データと販売店データとを含む配信データを生成するものであってもよい。そのような構成によれば、ユーザの健康維持やダイエットのために必要な食材を、ユーザが容易に効率よく購入することができる。
【００１６】
また、ユーザ端末は、ユーザ端末の位置情報を求める位置算出手段（例えば、携帯電話機１０のＣＰＵ及び通信部１６によって実現される）と、位置算出手段が求めた位置情報を、通信ネットワークを介して健康管理装置に送信する位置送信手段（例えば、携帯電話機１０のＣＰＵ及び通信部１６によって実現される）とを含み、属性情報蓄積手段は、販売店の属性として販売店の位置情報を含む販売店データを予め蓄積し、配信データ生成手段は、ユーザ端末から受信した位置情報と属性情報蓄積手段が記憶する位置情報とにもとづいて、ユーザ端末と各販売店との距離を求め、属性情報蓄積手段が蓄積する販売店データのうち、求めた距離が所定距離以内である販売店に対応する販売店データを抽出するものであってもよい。そのような構成によれば、ユーザの現在位置の近傍にある販売店に対応する販売店データをユーザに提供することができ、ユーザが容易に効率よく食材を購入することができる。
【００１７】
また、健康管理システムは、食材を販売する宅配業者が運営する宅配業者端末を備え、健康管理装置は、配信データ生成手段が抽出した献立データで用いられる食材を発注する旨の発注情報を生成する発注情報生成手段（例えば、健康管理サーバ２０のＣＰＵによって実現される）と、発注情報生成手段が生成した発注情報を、通信ネットワークを介して宅配業者端末に送信する発注情報送信手段（例えば、健康管理サーバ２０のＣＰＵ及びネットワークインタフェース部によって実現される）とを含むものであってもよい。そのような構成によれば、ユーザの健康維持やダイエットのために必要な食材を自動発注することができ、ユーザが容易に効率よく食材を購入することができる。
【００１８】
また、本発明による健康管理装置は、ユーザの健康状態を管理する健康管理装置であって、ユーザ端末から受信したユーザの健康状態を示す健康データを蓄積し管理するデータ管理手段と、データ管理手段が蓄積する健康データにもとづいて、ユーザの健康状態を解析する健康状態解析手段と、健康状態解析手段の解析結果にもとづいて、ユーザの健康状態に応じた食事療法の情報を含む配信データを生成する配信データ生成手段と、配信データ生成手段が生成した配信データを、通信ネットワークを介して利用者端末に送信する配信データ送信手段とを備えたことを特徴とする。
【００１９】
また、本発明によるユーザ端末は、ユーザの健康状態を示す健康データを測定するデータ測定手段と、データ測定手段が測定した健康データを、通信ネットワークを介して、ユーザの健康状態を管理する健康管理装置に送信する測定データ送信手段とを備えたことを特徴とする。
【００２０】
また、本発明による健康管理方法は、ユーザの健康状態を管理するための健康管理方法であって、ユーザ端末が、ユーザの健康状態を示す健康データを測定するステップと、ユーザ端末が、測定した健康データを、通信ネットワークを介して、ユーザの健康状態を管理する健康管理装置に送信するステップと、健康管理装置が、ユーザ端末から受信した健康データを蓄積し管理するステップと、健康管理装置が、蓄積する健康データにもとづいて、ユーザの健康状態を解析するステップと、健康管理装置が、解析結果にもとづいて、ユーザの健康状態に応じた食事療法の情報を含む配信データを生成するステップと、健康管理装置が、生成した配信データを、通信ネットワークを介して利用者端末に送信するステップとを含むことを特徴とする。
【００２１】
また、健康管理方法は、健康管理装置が、食事の献立を示す献立データを健康状態に対応づけて予め蓄積するステップと、健康管理装置が、解析した健康状態に対応する献立データを抽出し、抽出した献立データを食事療法の情報として含む配信データを生成するステップとを含むものであってもよい。そのような構成によれば、ユーザの健康状態に応じた食事の献立表を食事療法の情報としてユーザに提供することができる。また、提供した食事療法の情報を用いて、ユーザの健康維持やダイエットを効果的且つ効率的に行うことができる。
【００２２】
また、健康管理方法は、健康管理装置が、食材の属性を示す食材データと、食材を販売する販売店の属性を示す販売店データとを予め蓄積するステップと、健康管理装置が、抽出した献立データで用いられる食材に対応する食材データと、献立データで用いられる食材を販売する販売店に対応する販売店データとを抽出するステップと、健康管理装置が、抽出した食材データと販売店データとを含む配信データを生成するステップとを含むものであってもよい。そのような構成によれば、ユーザの健康維持やダイエットのために必要な食材を、ユーザが容易に効率よく購入することができる。
【００２３】
また、本発明による健康管理プログラムは、ユーザの健康状態を管理させるための健康管理プログラムであって、コンピュータに、ユーザの健康状態を示す健康データを、通信ネットワークを介してユーザ端末から受信する処理と、ユーザ端末から受信した健康データを蓄積し管理する処理と、蓄積した健康データにもとづいて、ユーザの健康状態を解析する処理と、解析結果にもとづいて、ユーザの健康状態に応じた食事療法の情報を含む配信データを生成する処理と、生成した配信データを、通信ネットワークを介して利用者端末に送信する処理とを実行させることを特徴とする。  
【発明の効果】
【００２４】
本発明によれば、蓄積し管理する健康データにもとづいてユーザの健康状態を解析し、健康状態に応じた食事療法の情報を含む配信データをユーザ端末に送信する。従って、ユーザの健康データを収集してユーザの健康状態を管理し、ユーザに適切な食事療法の情報を提供することができる。
【発明を実施するための最良の形態】
【００２５】
実施の形態１．
以下、本発明の第１の実施の形態を図面を参照して説明する。図１は、本発明による健康管理システムを適用した環境の一例を示す説明図である。また、図２は、健康管理システムの構成の一例を示すブロック図である。図１及び図２に示すように、健康管理システムは、ユーザが使用する携帯電話機１０と、ユーザの健康状態を管理する健康管理サーバ２０と、携帯電話機１０の位置情報を提供する位置情報提供サーバ３０とを含む。
【００２６】
なお、図１及び図２では、１つの携帯電話機１０を示すが、健康管理システムは、複数の携帯電話機１０を含む。また、健康管理システムは、携帯電話機１０に限らず、ＰＤＡ等の他の携帯端末を含むものであってもよい。
【００２７】
図１に示すように、携帯電話機１０は、センサ部１１、ＵＩ部１２及び通信部１６を含む。センサ部１１は、具体的には、体温計や脈拍計、体脂肪計等である。センサ部１１は、ユーザの体温や脈拍数、体脂肪率等のユーザの健康状態を示す健康データを測定する機能を備える。
【００２８】
例えば、携帯電話機１０は、ユーザの体温を測定するための温度センサを備える。例えば、ユーザが受話口のスピーカ部分の温度センサに耳をあてると、センサ部１１は、温度センサが検出したユーザの体温を出力する。また、例えば、ユーザが温度センサに額をあてたり、脇の下に挟んだり、口内に入れたりすると、センサ部１１は、温度センサが検出したユーザの体温を出力する。なお、一般に耳や額、脇等の測定部位の違いによって体温の測定結果に誤差が生じる。そのため、携帯電話機１０は、ユーザの入力操作に従って体温の測定部位を入力し、所定の補正表に従って体温の測定結果を補正するようにしてもよい。
【００２９】
また、例えば、携帯電話機１０は、ユーザの脈拍数を測定するためのマイクロフォンや振動センサを備える。例えば、ユーザが受話口のスピーカ部分の振動センサに耳をあてると、センサ部１１は、振動センサの検出値を用いてユーザの脈拍数を求める。また、例えば、ユーザが振動センサを手首や頸にあてると、センサ部１１は、振動センサの検出値を用いてユーザの脈拍数を求める。
【００３０】
また、例えば、携帯電話機１０は、ユーザの体脂肪率を測定するための２つの電極を備える。例えば、ユーザが左手で一方の電極を触り右手で他の一方の電極を触ると、センサ部１１は、２つの電極間の電気抵抗値を求める。そして、センサ部１１は、抵抗値と体脂肪率との所定の相関関係にもとづいて、求めた抵抗値を用いてユーザの体脂肪率を求める。
【００３１】
ＵＩ部１２は、具体的には、携帯電話機１０のキー操作部や液晶表示部である。ＵＩ部１２は、ユーザの入力指示を受け付けたり、携帯電話機１０のＣＰＵの指示に従って情報を表示したりすることによって、ユーザインタフェースを提供する機能を備える。
【００３２】
通信部１６は、具体的には、携帯電話機１０が搭載する送受信機である。通信部１６は、アンテナを介して無線基地局（図示せず）と無線信号を送受信する機能を備える。
【００３３】
また、携帯電話機１０は、メーラ１３やブラウザが搭載され、インターネット接続機能を備える。本実施の形態では、携帯電話機１０は、無線基地局及びインターネット等の通信ネットワーク１００を介して、健康管理サーバ２０及び位置情報提供サーバ３０とデータを送受信する。なお、本実施の形態では、携帯電話機１０が各サーバ２０，３０と「無線基地局及び通信ネットワーク１００を介してデータを送受信する」ことを、単に「通信ネットワーク１００を介してデータを送受信する」と表現する。
【００３４】
また、図１に示すように、携帯電話機１０は、各種アプリケーションソフトウェア１４が搭載されている。本実施の形態は、携帯電話機１０は、ユーザの健康データを測定するためのアプリケーションソフトウェア１４が搭載されている。また、図１に示すように、携帯電話機１０は、スケジュール管理を行うためのスケジューラ１５が搭載されている。なお、本実施の形態では、「アプリケーションソフトウェア１４又はスケジューラ１５が処理を実行する」等の表現を用いるが、実際には、携帯電話機１０のＣＰＵがアプリケーションソフトウェア１４又はスケジューラ１５に従って処理を実行する。
【００３５】
アプリケーションソフトウェア１４は、スケジューラ１５を動作させ、予めユーザによって設定された計測時刻にもとづいて、健康データの測定スケジュールをスケジューラ１５に管理させる機能を備える。スケジューラ１５は、アプリケーションソフトウェア１４の指示に従って測定スケジュールを管理し、測定時刻を経過したか否かを判断する機能を備える。また、アプリケーションソフトウェア１４は、スケジューラ１５が測定時刻を経過したと判断すると、健康データの測定時刻である旨をユーザに通知する機能を備える。例えば、アプリケーションソフトウェア１４は、健康データの測定を促す旨の案内をＵＩ部（例えば、液晶表示部）１２に表示させることによって、測定時刻である旨をユーザに通知する。また、例えば、アプリケーションソフトウェア１４は、アラーム音を出力させることによって、測定時刻である旨をユーザに通知する。
【００３６】
また、アプリケーションソフトウェア１４は、ユーザの操作に従ってセンサ部１１の各センサを測定可能状態し、ユーザに測定場所（携帯電話機１０に取り付けられた各センサの位置）の案内を通知する機能を備える。例えば、アプリケーションソフトウェア１４は、「この音声がはっきりと聞こえる位置に耳をあてて下さい」等の音声を受話口から出力させる。また、アプリケーションソフトウェア１４は、各センサの検出値にもとづいて健康データ（体温や脈拍数、体脂肪率）を求める機能を備える。また、アプリケーションソフトウェア１４は、取得した健康データを、通信ネットワーク１００を介して健康管理サーバ２０に送信する機能を備える。
【００３７】
健康管理サーバ２０は、ユーザの健康状態の管理及び健康状態に応じた情報提供サービスを行うサービス事業者が運営するサーバである。健康管理サーバ２０は、ユーザの体温や脈拍数、体脂肪率等の健康データを、後述する健康測定情報データベース２３に蓄積する機能を備える。また、健康管理サーバ２０は、携帯電話機１０から通信ネットワーク１００を介して受信した健康データ（測定データ）にもとづいて、健康測定情報データベース２３に蓄積する健康データを更新する機能を備える。本実施の形態では、健康管理サーバ２０は、ユーザの健康データを保存したり、携帯電話機１０からの要求に応じて蓄積する健康データを更新することによって、ユーザの健康状態を管理する。
【００３８】
また、健康管理サーバ２０は、蓄積し管理する健康データにもとづいて、ユーザの健康状態を解析する機能を備える。また、健康管理サーバ２０は、解析結果にもとづいて、ユーザの健康状態に応じた献立表等の食事療法の情報を含む配信データを生成する機能を備える。また、健康管理サーバ２０は、献立表に対応する買い物情報を含む配信データを生成する機能を備える。また、健康管理サーバ２０は、生成した配信データを、通信ネットワーク１００を介して携帯電話機１０に送信する機能を備える。
【００３９】
図２に示すように、健康管理サーバ２０は、ユーザ情報データベース２１、標準値データベース２２、健康測定情報データベース２３、献立情報データベース２４及び販売店情報データベース２５を含む。
【００４０】
ユーザ情報データベース２１は、ユーザの登録情報を予め記憶する。本実施の形態では、ユーザ情報データベース２１は、ユーザ登録情報として、ユーザＩＤやユーザ名、ユーザの年齢、体重、性別、携帯電話機１０の端末情報（端末ＩＤやメールアドレス）、健康データの測定時刻を対応付けて記憶する。
【００４１】
標準値データベース２２は、健康データの標準値を予め記憶する。本実施の形態では、標準値データベース２２は、年齢や体重、性別等の身体データと、体温や脈拍数、体脂肪率の標準値とを対応付けて記憶する。
【００４２】
健康測定情報データベース２３は、健康管理サーバ２０が携帯電話機１０から受信した健康データを蓄積する。本実施の形態では、健康測定情報データベース２３は、ユーザＩＤと、ユーザの体温や脈拍数、体脂肪率の測定データと、測定日時とを対応付けて記憶する。
【００４３】
献立情報データベース２４は、食事の献立データを予め複数蓄積する。本実施の形態では、献立情報データベース２４は、健康状態と献立データとを対応付けて記憶する。例えば、献立情報データベース２４は、健康状態「肥満傾向」と、カロリを抑えめにした食事の献立データとを対応付けて記憶する。また、例えば、献立情報データベース２４は、健康状態「血圧が高い」と、塩分を抑えめにした食事の献立データとを対応づけて記憶する。
【００４４】
販売店情報データベース２５は、地域ごとの食材データ（例えば、食材の価格データ）や販売店データを予め複数蓄積する。本実施の形態では、販売店情報データベース２５は、販売店ＩＤや販売店名、販売店の位置情報（緯度及び経度）、メールアドレス等の販売店の属性情報を含む販売店データを予め複数蓄積する。また、販売店情報データベース２５は、食材ＩＤや食材名、価格等の食材の属性情報を含む食材データを予め複数蓄積する。なお、販売店情報データベース２５が記憶する販売店データや食材データは、販売店等からの要求に応じて随時更新される。
【００４５】
位置情報提供サーバ３０は、携帯電話サービスを提供する電気通信事業者が運営するサーバである。位置情報提供サーバ３０は、各携帯電話機１０の位置情報を管理する機能を備える。また、位置情報提供サーバ３０は、携帯電話機１０からの要求に応じて、通信ネットワーク１００を介して位置情報を携帯電話機１０に送信する機能を備える。
【００４６】
なお、本実施の形態において、健康管理サーバ２０の記憶装置（図示せず）は、ユーザの健康管理の処理を実行させるための各種プログラムを記憶している。例えば、健康管理サーバ２０の記憶装置は、コンピュータに、ユーザの健康状態を示す健康データを、通信ネットワークを介してユーザ端末から受信する処理と、ユーザ端末から受信した健康データを蓄積し管理する処理と、蓄積した健康データにもとづいて、ユーザの健康状態を解析する処理と、解析結果にもとづいて、ユーザの健康状態に応じた食事療法の情報を含む配信データを生成する処理と、生成した配信データを、通信ネットワークを介して利用者端末に送信する処理とを実行させるための健康管理プログラムを記憶している。
【００４７】
次に、動作について説明する。図３は、健康管理システムがユーザの健康状態を管理する健康管理処理の一例を示す流れ図である。ユーザは、健康状態の管理及び健康状態に応じた情報提供サービスを受けるために、携帯電話機１０を操作して予めユーザ情報の登録を指示する。携帯電話機１０は、ユーザの操作に従ってユーザ情報を入力する。そして、携帯電話機１０は、入力したユーザ情報を、通信ネットワーク１００を介して健康管理サーバ２０に送信する（ステップＳ１０１）。
【００４８】
本実施の形態では、ステップＳ１０１において、携帯電話機１０は、アプリケーションソフトウェア１４に従って、ユーザ名や、ユーザの年齢、体重及び性別の初期設定値、メールアドレスを入力し、健康管理サーバ２０に送信する。また、ステップＳ１０１において、携帯電話機１０は、ユーザの操作に従って健康データを測定する測定時刻を設定入力し、健康管理サーバ２０に送信する。
【００４９】
健康管理サーバ２０は、受信したユーザ情報を登録し、ユーザ用のデータベースを作成する（ステップＳ１０２）。本実施の形態では、ユーザ情報を受信すると、健康管理サーバ２０は、ユーザＩＤや端末ＩＤを発行し、ユーザＩＤ、ユーザ名、ユーザの年齢、体重、性別、端末情報（端末ＩＤやメールアドレス）及び測定時刻を対応づけてユーザ情報データベース２１に記憶させる。
【００５０】
また、携帯電話機１０のアプリケーションソフトウェア１４は、スケジューラ１５を動作させ、ステップＳ１０１で入力した測定時刻にもとづいてスケジューラ１５に測定スケジュールを管理させる（ステップＳ１０３）。スケジューラ１５は、測定時刻を経過したか否かを判断する。測定時刻を経過したと判断すると、スケジューラ１５は、測定時刻を経過した旨の通知情報をアプリケーションソフトウェア１４に出力する。すると、アプリケーションソフトウェア１４は、健康データを測定する時刻である旨をユーザに通知する（ステップＳ１０４）。本実施の形態では、アプリケーションソフトウェア１４は、健康データの測定を促す旨の案内をＵＩ部（例えば、液晶表示部）１２に表示させる。
【００５１】
携帯電話機１０は、ユーザによってＵＩ部１２から測定操作がなされると、アプリケーションソフトウェア１４に従ってセンサ部１１の各センサを測定可能状態にし、ユーザに測定場所の案内を通知する。本実施の形態では、携帯電話機１０は、アプリケーションソフトウェア１４に従って、「この音声がはっきりと聞こえる位置に耳をあてて下さい」等の音声を受話口から出力する。
【００５２】
ユーザが各センサを触り測定操作を行うと、携帯電話機１０は、アプリケーションソフトウェア１４に従って健康データを測定する（ステップＳ１０５）。本実施の形態では、携帯電話機１０は、センサ部１１の各センサの検出値にもとづいて、ユーザの体温や脈拍数、体脂肪率を求める。
【００５３】
携帯電話機１０は、取得した健康データを、通信ネットワーク１００を介して健康管理サーバ２０に送信する（ステップＳ１０６）。この場合、携帯電話機１０は、健康データとともに、携帯電話機１０の端末情報（端末ＩＤやメールアドレス）及びユーザＩＤ等のユーザ情報を、通信ネットワーク１００を介して健康管理サーバ２０に送信する。
【００５４】
健康管理サーバ２０は、受信した端末情報及びユーザ情報にもとづいてユーザを特定し、受信した健康データを健康測定情報データベース２３に記憶させる（ステップＳ１０７）。この場合、例えば、健康管理サーバ２０は、ユーザＩＤと対応づけて健康データを健康測定情報データベース２３に記憶させる。
【００５５】
また、携帯電話機１０は、現在の携帯電話機１０の位置情報を取得する（ステップＳ１０８）。例えば、携帯電話機１０は、位置情報の送信要求を位置情報提供サーバ３０に送信し、通信ネットワーク１００を介して位置情報提供サーバ３０から位置情報を受信することによって現在の位置情報を取得する。また、例えば、携帯電話機１０は、位置情報サービスを利用して、無線基地局から受信した無線信号にもとづいて位置情報を求める。また、例えば、携帯電話機１０は、ＧＰＳ機能を備え、受信したＧＰＳ信号にもとづいて位置情報を求める。また、携帯電話機１０は、取得した位置情報を、通信ネットワーク１００を介して健康管理サーバ２０に送信する（ステップＳ１０９）。
【００５６】
健康管理サーバ２０は、健康測定情報データベース２３に蓄積し管理する健康データの測定値にもとづいて、ユーザの健康状態を解析する（ステップＳ１１０）。
【００５７】
例えば、健康管理サーバ２０は、ユーザＩＤにもとづいてユーザ情報データベース２１からユーザの年齢や体重、性別を抽出する。また、健康管理サーバ２０は、抽出した年齢や体重、性別に対応する体脂肪率の標準値を標準値データベース２２から抽出する。また、健康管理サーバ２０は、健康測定情報データベース２３に蓄積する測定値が抽出した標準値より大きいか否かを判断する。例えば、測定値が標準値より大きいと判断すると、健康管理サーバ２０は、ユーザの健康状態が正常でないと判定する。また、例えば、測定値が標準値より大きくないと判断すると、健康管理サーバ２０は、ユーザの健康状態が正常であると判定する。
【００５８】
例えば、体脂肪率の測定値が標準値より大きいと判断すると、健康管理サーバ２０は、ユーザの健康状態を「肥満傾向」と判定する。また、例えば、脈拍数の測定値が標準値より大きいと判断すると、健康管理サーバ２０は、ユーザの健康状態を「血圧が高い」と判定する。また、例えば、体脂肪率や脈拍数の測定値が標準値より大きくないと判断すると、健康管理サーバ２０は、ユーザの健康状態を「正常」と判定する。
【００５９】
また、例えば、健康管理サーバ２０は、年齢や体重等の身体データや健康データの各測定値の組合せと健康状態とを対応づけたテーブル（組合せ対応テーブルという）を予め記憶していてもよい。この場合、例えば、健康管理サーバ２０は、ユーザの年齢や体重、性別、体脂肪率の測定値の組合せにもとづいて、対応する健康状態（例えば、「肥満傾向」）を組合せ対応テーブルから抽出する。
【００６０】
また、例えば、健康管理サーバ２０は、所定期間内の健康データの測定値の平均値を標準値として求めてもよい。この場合、例えば、健康管理サーバ２０は、求めた標準値と各測定値との差や、１日のうちにおける各測定値の変動値を求め、求めた差分値や変動値を健康測定情報データベース２３に蓄積する。また、健康管理サーバ２０は、標準値からの測定値の差と健康状態とを対応づけたテーブル（差分対応テーブルという）を予め記憶している。そして、健康管理サーバ２０は、健康測定情報データベース２３に蓄積する差分値や変動値にもとづいて、対応する健康状態を差分対応テーブルから抽出する。例えば、所定期間内に体脂肪率が大きく増加している場合、健康管理サーバ２０は、体脂肪率の差分値にもとづいて健康状態「肥満傾向」を差分対応テーブルから抽出する。
【００６１】
健康管理サーバ２０は、解析結果にもとづいて、献立情報データベース２４が蓄積する献立データのうち、ユーザの健康状態に対応した献立データを推奨データとして選択する（ステップＳ１１１）。例えば、健康管理サーバ２０は、ユーザの健康状態の解析結果「肥満傾向」にもとづいて、献立情報データベース２４からカロリを抑えめにした食事の献立データを抽出する。また、例えば、健康管理サーバ２０は、健康状態の解析結果「血圧が高い」にもとづいて、献立情報データベース２４から塩分を抑えめにした食事の献立データを抽出する。
【００６２】
また、健康管理サーバ２０は、抽出した献立データに用いられる食材に対応する食材データを、販売店情報データベース２５から抽出する。また、健康管理サーバ２０は、抽出した献立データに用いられる食材を販売する販売店に対応する販売店データを、販売店情報データベース２５から抽出する。この場合、健康管理サーバ２０は、販売店情報データベース２５が記憶する販売店データのうち、ユーザの現在位置の近傍にある販売店に対応する販売店データを抽出する。
【００６３】
例えば、健康管理サーバ２０は、携帯電話機１０から受信した携帯電話機１０の位置情報と、販売店データに含まれる販売店の位置情報とにもとづいて、携帯電話機１０の位置から各販売店までの距離を求める。そして、健康管理サーバ２０は、求めた距離が所定距離以内であるか否かを判断し、求めた距離が所定距離以内である販売店に対応する販売店データを抽出する。
【００６４】
健康管理サーバ２０は、抽出した食材データ及び販売店データにもとづいて買い物情報を生成する（ステップＳ１１２）。例えば、健康管理サーバ２０は、食材データ及び販売店データにもとづいて、献立に使用する食材の相場価格や物価情報、販売店までの道順を示す買い物経路情報を含む買い物情報を配信データとして生成する。また、健康管理サーバ２０は、抽出した献立データにもとづいて献立表を生成する。例えば、健康管理サーバ２０は、献立データにもとづいて、献立の調理方法や食材、食材費を含む献立表を配信データとして生成する。
【００６５】
健康管理サーバ２０は、ユーザの健康状態の解析結果、生成した献立表及び買い物情報を、通信ネットワーク１００を介して携帯電話機１０に送信する（ステップＳ１１３）。例えば、健康管理サーバ２０は、解析結果、献立表及び買い物情報を、電子メールを利用して配信データとして携帯電話機１０に送信する。そして、携帯電話機１０は、受信した解析結果、献立表及び買い物情報にもとづいて、ユーザの健康状態の判定結果や、献立の調理方法、食材、販売店までの道順等を表示する。
【００６６】
以上のように、本実施の形態によれば、携帯電話機１０は、体温や脈拍数、体脂肪率を測定するためのセンサを備えて健康データを測定する。また、健康管理サーバ２０は、携帯電話機１０が測定した健康データを蓄積し管理する。測定データを健康管理サーバ２０で管理することによって大量の健康データを蓄積することができ、健康データの測定値の一元管理を行うことができる。
【００６７】
また、本実施の形態によれば、健康管理サーバ２０は、管理する健康データにもとづいてユーザの健康状態を解析し、健康状態に応じた献立表等の食事療法の情報を携帯電話機１０に配信する。従って、ユーザの健康データを収集してユーザの健康状態を管理し、ユーザに適切な食事療法の情報を提供することができる。また、提供した食事療法の情報を用いて、ユーザの健康維持やダイエットを効果的且つ効率的に行うことができる。
【００６８】
また、本実施の形態によれば、健康管理サーバ２０は、献立表に用いられる食材や販売店の情報を含む買い物情報を携帯電話機１０に配信する。従って、ユーザの健康維持やダイエットのために必要な食材を、ユーザが容易に効率よく購入することができる。
【００６９】
なお、本実施の形態では、携帯電話機１０が体温や脈拍数、体脂肪率を測定する場合を説明したが、携帯電話機１０は、健康データとして他のデータを測定するものであってもよい。例えば、携帯電話機１０は、送話口に臭いセンサを備え、ユーザの口臭データを健康データとして測定してもよい。この場合、例えば、健康管理サーバ２０は、口臭データの測定値にもとづいて、ユーザの胃腸の健康状態をチェックしてもよい。例えば、健康管理サーバ２０は、口臭データの測定値が所定の標準値より大きいか否かを判断する。そして、測定値が所定の標準値より大きいと判断すると、健康管理サーバ２０は、ユーザの胃腸に異常があると判定する。また、例えば、携帯電話機１０は、体温、脈拍数及び体脂肪率の全てを測定するのでなく、体温、脈拍数又は体脂肪率のうちのいずれか１つ又は２つを測定するものであってもよい。
【００７０】
また、健康管理サーバ２０は、健康状態の解析結果をユーザの携帯端末に送信するのでなく、予め指定された他の端末に送信するものであってもよい。例えば、図３のステップＳ１０１において、携帯電話機１０は、ユーザの操作に従って、解析結果の送信先として、遠距離に住む家族が使用する端末のメールアドレスを入力する。そして、携帯電話機１０は、家族が使用する端末のメールアドレスを含むユーザ情報を、登録情報として通信ネットワーク１００を介して健康管理サーバ２０に送信する。この場合、健康管理サーバ２０は、予め登録されたメールアドレスにもとづいて、通信ネットワークを介して、ユーザの家族の端末に健康状態の解析結果を送信する。そのようにすることによって、ユーザ自身の健康状態を遠距離に住む家族に報告することができる。
【００７１】
実施の形態２．
次に、本発明の第２の実施の形態を図面を参照して説明する。図４は、健康管理システムの他の構成例を示すブロック図である。図４に示すように、健康管理システムは、第１の実施の形態で示した構成要素に加えて、食材の宅配業者が運営する宅配業者端末４０を含む。なお、図４では、１つの宅配業者端末４０を示すが、健康管理システムは、複数の宅配業者端末４０を含む。
【００７２】
宅配業者端末４０は、具体的には、パーソナルコンピュータ等の情報処理端末である。宅配業者端末４０は、メーラやブラウザが搭載され、インターネット接続機能を備える。本実施の形態では、宅配業者端末４０は、食材の発注情報を通信ネットワーク１００を介して健康管理サーバ２０から受信する。
【００７３】
また、本実施の形態では、健康管理サーバ２０は、第１の実施の形態で示した機能に加えて、献立表で用いられる食材を発注する旨の発注情報を生成する機能を備える。例えば、健康管理サーバ２０は、抽出した献立データにもとづいて、献立表で用いられる食材の種類や量を含む発注情報を生成する。また、健康管理サーバ２０は、生成した発注情報を、通信ネットワーク１００を介して販売店端末４０に送信する機能を備える。
【００７４】
また、本実施の形態では、販売店情報データベース２５は、第１の実施の形態で示した食材データや販売店データに加えて、食材の宅配業者の業者ＩＤや宅配業者名、メールアドレス等を含む宅配業者データを予め記憶する。
【００７５】
次に、動作について説明する。図５は、健康管理システムがユーザの健康状態を管理する健康管理処理の他の例を示す流れ図である。図５において、ステップＳ２０１からステップＳ２１１までの処理は、第１の実施の形態で示したステップＳ１０１からステップＳ１１１までの処理と同様である。
【００７６】
ステップＳ２１１で献立表を生成すると、健康管理サーバ２０は、ユーザの健康状態の解析結果及び生成した献立表を、通信ネットワーク１００を介して携帯電話機１０に送信する（ステップ２１２）。そして、携帯電話機１０は、受信した解析結果及び献立表にもとづいて、ユーザの健康状態の判定結果や、献立の調理方法、食材等を表示する。
【００７７】
また、健康管理サーバ２０は、生成した献立表で用いられる食材を発注する旨の発注情報を生成する。また、健康管理サーバ２０は、販売店情報データベース２５から、献立表で用いられる食材を販売する宅配業者のメールアドレスを抽出する。そして、健康管理サーバ２０は、抽出したメールアドレスにもとづいて、生成した発注情報を通信ネットワーク１００を介して宅配業者端末４０に送信する（ステップＳ２１３）。
【００７８】
以上のように、本実施の形態によれば、健康管理サーバ２０は、献立表に用いられる食材の発注情報を自動生成し宅配業者端末４０に配信する。従って、ユーザの健康維持やダイエットのために必要な食材を自動発注することができ、ユーザが容易に効率よく食材を購入することができる。
【産業上の利用可能性】
【００７９】
本発明は、体温や脈拍数、体脂肪率等の健康状態を示す健康データにもとづいて、ユーザの健康状態を管理するための健康管理システムの用途に適用できる。特に、本発明を用いれば、ユーザの健康状態を管理するだけでなく、ユーザの健康状態に応じた食事療法等の情報を含む配信データをユーザに提供することができる。
【図面の簡単な説明】
【００８０】
【図１】本発明による健康管理システムを適用した環境の一例を示す説明図である。
【図２】健康管理システムの構成の一例を示すブロック図である。
【図３】健康管理システムがユーザの健康状態を管理する健康管理処理の一例を示す流れ図である。
【図４】健康管理システムの他の構成例を示すブロック図である。
【図５】健康管理システムがユーザの健康状態を管理する健康管理処理の他の例を示す流れ図である。
【符号の説明】
【００８１】
１０  携帯電話機
１１  センサ部
１２  ＵＩ部
１３  メーラ
１４  アプリケーションソフトウェア
１５  スケジューラ
１６  通信部
２０  健康管理サーバ
２１  ユーザ情報データベース
２２  標準値データベース
２３  健康測定情報データベース
２４  献立情報データベース
２５  販売店情報データベース
３０  位置情報提供サーバ
１００  通信ネットワーク
【図１】
2006072665.tif 000003
【図２】
2006072665.tif 000004
【図３】
2006072665.tif 000005
【図４】
2006072665.tif 000006
【図５】
2006072665.tif 000007